【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
音響エネルギーを放出し、前記音響エネルギーの後方散乱を受信することによって、それぞれが超音波データを含む複数のデータベクトルを獲得するように構成された超音波トランスデューサと、
少なくとも１つの処理装置を備える撮像エンジンと、を備える撮像システムであって、前記撮像エンジンが、
前記超音波トランスデューサから前記複数のデータベクトルを受信し、
前記複数のデータベクトルから、第１のデータベクトルセットと第２のデータベクトルセットとを形成し、
前記少なくとも１つの処理装置を使用して、それぞれ前記第１のデータベクトルセットと前記第２のデータベクトルセットとに基づいて、第１のデータ結合および第２のデータ結合を生成し、
前記少なくとも１つの処理装置を使用して、それぞれ前記第１のデータ結合および前記第２のデータ結合に基づいて、第１の包絡線および第２の包絡線を生成し、
前記少なくとも１つの処理装置を使用して、前記第１の包絡線および前記第２の包絡線に基づいて合成の包絡線を生成し、
前記少なくとも１つの処理装置を使用して、前記合成の包絡線に基づいて画像を生成する
ように構成された撮像システム。
【請求項２】
前記超音波トランスデューサを撮像領域に送達するように構成されたカテーテルアセンブリと、
カテーテルインターフェースを含む患者インターフェースモジュールと、
をさらに備え、
前記患者インターフェースモジュールが、前記撮像エンジンに電気的に接続され、前記カテーテルインターフェースを介して前記カテーテルアセンブリおよび前記超音波トランスデューサに結合され、
前記患者インターフェースモジュールが、前記カテーテルアセンブリに対して前記超音波トランスデューサを回転させるように構成される
請求項１に記載の撮像システム。
【請求項３】
前記第１のデータベクトルセットのデータベクトルが径方向で順次であり、前記第２のデータベクトルセットのデータベクトルが径方向で順次である請求項１に記載の撮像システム。
【請求項４】
前記超音波トランスデューサが、前記カテーテルアセンブリに対して回転されるときに、２π／４０９６ラジアン毎にデータベクトルを獲得するように構成される請求項２に記載の撮像システム。
【請求項５】
前記第１のデータベクトルセットが２つのデータベクトルを含み、前記第２のデータベクトルセットが２つのデータベクトルを含む請求項１に記載の撮像システム。
【請求項６】
前記第１のデータベクトルセットが４つのデータベクトルを含み、前記第２のデータベクトルセットが４つのデータベクトルを含む請求項１に記載の撮像システム。
【請求項７】
前記第１のデータベクトルセットと前記第２のデータベクトルセットとがそれぞれ、少なくとも１つの共通のデータベクトルを含む請求項１に記載の撮像システム。
【請求項８】
前記第１のデータ結合が、前記第１のデータベクトルセットの各データベクトルに関連付けられる前記超音波データを平均することによって生成され、前記第２のデータ結合が、前記第２のデータベクトルセットの各データベクトルに関連付けられる前記超音波データを平均することによって生成される請求項１に記載の撮像システム。
【請求項９】
前記合成の包絡線が、前記第１の包絡線および前記第２の包絡線を平均することによって生成される請求項１に記載の撮像システム。
【請求項１０】
前記超音波トランスデューサによって放出される前記音響エネルギーが、４０〜６０ＭＨｚの間である請求項１に記載の撮像システム。
【請求項１１】
それぞれが超音波データを含む複数のデータベクトルを受信するステップと、
前記複数のデータベクトルから第１のデータベクトルセットと第２のデータベクトルセットとを形成するステップと、
それぞれ前記第１のデータベクトルセットと前記第２のデータベクトルセットとに基づいて、第１のデータ結合および第２のデータ結合を生成するステップと、
それぞれ前記第１のデータ結合および前記第２のデータ結合に基づいて、第１の包絡線および第２の包絡線を生成するステップと、
前記第１の包絡線および前記第２の包絡線に基づいて合成の包絡線を生成するステップと、
前記合成の包絡線に基づいて画像を生成するステップと
を含む方法。
【請求項１２】
前記複数のデータベクトルが、超音波トランスデューサによって獲得される請求項１１に記載の方法。
【請求項１３】
前記第１のデータベクトルセットのデータベクトルが径方向で順次であり、前記第２のデータベクトルセットのデータベクトルが径方向で順次である請求項１１に記載の方法。
【請求項１４】
径方向で順次のデータベクトルが、２π／４０９６ラジアンだけ離隔される請求項１３に記載の方法。
【請求項１５】
前記第１のデータベクトルセットが２つのデータベクトルを含み、前記第２のデータベクトルセットが２つのデータベクトルを含む請求項１１に記載の方法。
【請求項１６】
前記第１のデータベクトルセットが４つのデータベクトルを含み、前記第２のデータベクトルセットが４つのデータベクトルを含む請求項１１に記載の方法。
【請求項１７】
前記第１のデータベクトルセットと前記第２のデータベクトルセットとがそれぞれ、少なくとも１つの共通のデータベクトルを含む請求項１１に記載の方法。
【請求項１８】
前記第１のデータ結合および前記第２のデータ結合を生成する前記ステップが、さらに、それぞれ、前記第１のデータベクトルセットの前記データベクトルに関連付けられる前記超音波データを平均し、前記第２のデータベクトルセットの前記データベクトルに関連付けられる前記超音波データを平均するステップ、を含む請求項１１に記載の方法。
【請求項１９】
前記合成の包絡線を生成する前記ステップが、前記第１の包絡線および前記第２の包絡線を平均するステップ、をさらに含む請求項１１に記載の方法。
【請求項２０】
前記第１の包絡線および前記第２の包絡線を生成する前記ステップが、前記第１のデータ結合を復調し、前記第２のデータ結合を復調するステップ、をさらに含む請求項１１に記載の方法。
【請求項２１】
それぞれが超音波データを含む複数のデータベクトルを受信すること、
前記複数のデータベクトルから、第１のデータベクトルセットと第２のデータベクトルセットとを形成すること、
それぞれ前記第１のデータベクトルセットと前記第２のデータベクトルセットとに基づいて、第１のデータ結合および第２のデータ結合を生成すること、
それぞれ前記第１のデータ結合および前記第２のデータ結合に基づいて、第１の包絡線および第２の包絡線を生成すること、
前記第１の包絡線および前記第２の包絡線に基づいて合成の包絡線を生成すること、ならびに
前記合成の包絡線に基づいて画像を生成すること、
を少なくとも１つのプログラマブル処理装置に行わせるプログラム。
【請求項２２】
前記第１のデータベクトルセットのデータベクトルが径方向で順次であり、前記第２のデータベクトルセットのデータベクトルが径方向で順次である、請求項２１に記載のプログラム。
【請求項２３】
径方向で順次のデータベクトルが、２π／４０９６ラジアンだけ離隔される、請求項２２に記載のプログラム。
【請求項２４】
前記第１のデータベクトルセットが２つのデータベクトルを含み、前記第２のデータベクトルセットが２つのデータベクトルを含む、請求項２１に記載のプログラム。
【請求項２５】
前記第１のデータベクトルセットが４つのデータベクトルを含み、前記第２のデータベクトルセットが４つのデータベクトルを含む、請求項２１に記載のプログラム。
【請求項２６】
前記第１のデータベクトルセットと前記第２のデータベクトルセットとがそれぞれ、少なくとも１つの共通のデータベクトルを含む、請求項２１に記載のプログラム。
【請求項２７】
前記第１のデータベクトルセットと前記第２のデータベクトルセットとがそれぞれ、少なくとも１つの共通のデータベクトルを含む、請求項２１に記載のプログラム。
【請求項２８】
前記少なくとも１つのプログラマブル処理装置に、前記第１のデータベクトルセットの前記データベクトルに関連付けられる前記超音波データを平均することによって前記第１のデータ結合を生成させ、前記第２のデータベクトルセットの前記データベクトルに関連付けられる前記超音波データを平均することによって前記第２のデータ結合を生成させること、を更に行わせる請求項２１に記載のプログラム。
【請求項２９】
前記少なくとも１つのプログラマブル処理装置に、前記第１のデータ結合を復調することによって前記第１の包絡線を生成させ、前記第２のデータ結合を復調することによって前記第２の包絡線を生成させること、を更に行わせる請求項２１に記載のプログラム。
【請求項３０】
前記少なくとも１つのプログラマブル処理装置に、前記第１の包絡線および前記第２の包絡線を平均することによって前記合成の包絡線を生成させること、を更に行わせる請求項２１に記載のプログラム。